(57)【要約】 【課題】  電極の実装面となる平坦部の平坦性がよく、巻線端末による隣接電極との短絡が起きにくいチップ型コモンモードチョークコイル及びその製造方法を提供すること。【解決手段】  巻芯部３を有すると共に巻芯部３の両端部に設けられ実装基板面に向かって突出し且つ前記実装基板面と略平行な平坦部６が形成された複数の磁脚２を有する磁芯１と、平坦部６及びその近傍に設けられた電極４と、巻芯部３に施された巻線５とを備えるチップ型コモンモードチョークコイルであり、平坦部６以外の電極４の面に、巻線の端末７を接続する。その際、熱圧着などの方法により電気的に接続する。【選択図】  図１
2005142341.tif 000002
【特許請求の範囲】
【請求項１】
巻芯部を有すると共に前記巻芯部の両端部に設けられ実装基板面に向かって突出し且つ前記実装基板面と略平行な平坦面が形成された複数の磁脚を有する磁芯と、前記平坦面及びこの近傍の表面に設けられた電極と、前記巻芯部に施された巻線とを備えるチップ型コモンモードチョークコイルであって、前記巻線の端末が前記平坦面以外の電極の面に電気的に接続されたことを特徴とするチップ型コモンモードチョークコイル。
【請求項２】
巻芯部を有すると共に前記巻芯部の両端部に設けられ実装基板面に向かって突出し且つ前記実装基板面と略平行な平坦面が形成された複数の磁脚を有する磁芯と、前記平坦面及びこの近傍の表面に設けられ且つ溝を有する電極と、前記巻芯部に施された巻線とを備えるチップ型コモンモードチョークコイルであって、前記巻線の端末が前記電極の前記溝に嵌合した状態で電気的に接続されたことを特徴とするチップ型コモンモードチョークコイル。
【請求項３】
巻芯部を有すると共に前記巻芯部の両端部に設けられ実装基板面に向かって突出し且つ前記実装基板面と略平行な平坦面が形成された複数の磁脚を有する磁芯と、前記平坦面とこの近傍の表面に設けられた電極と、前記巻芯部に施された巻線とを備えるチップ型コモンモードチョークコイルの製造方法であって、前記巻線の端末を前記平坦面以外の電極の面に熱圧着を用いて接続する工程を含むことを特徴とするチップ型コモンモードチョークコイルの製造方法。
【請求項４】
巻芯部を有すると共に前記巻芯部の両端部に設けられ実装基板面に向かって突出し且つ前記実装基板面と略平行な平坦面が形成された複数の磁脚を有する磁芯と、前記平坦面とこの近傍の表面に設けられた電極と、前記巻芯部に施された巻線とを備えるチップ型コモンモードチョークコイルの製造方法であって、前記電極が設けられる磁脚の表面部分に、金型による同時成型又は金型による成型の後の切削により、溝を設ける工程と、前記溝の内面の電極に熱圧着又は半田付けの少なくともいずれかにより前記巻線の端末を接続する工程とを含むことを特徴とするチップ型コモンモードチョークコイルの製造方法。
【発明の詳細な説明】
【技術分野】
【０００１】
本発明は、電子機器のコモンモードノイズを除去するコモンモードチョークコイル及びその製造方法に関し、特に面実装が可能なチップ型コモンモードチョークコイル及びその製造方法に関する。
【背景技術】
【０００２】
従来のチップ型コモンモードチョークコイルとして、巻芯部を有すると共に前記巻芯部の両端に設けられ、面実装用の平坦部を備えかつ前記巻芯部の外周面に対して一方向に突出してなる複数の磁脚を有する磁芯と、前記磁脚の表面に設けられた電極と、前記巻芯部に施された巻線とからなり、その巻線の端末が電極の実装面に接続されたチップ型コモンモードチョークコイルがある。
【０００３】
従来品の例を図５に斜視図で示す。図５のように磁芯１の両端側の磁脚２からなる先端部分に、めっき処理により電極４を施す。次に、巻芯部３に巻線５を巻回し、それぞれ巻線の端末７を平坦部６に熱圧着などの方法で接続してチップ型コモンモードチョークコイルが形成される。
【０００４】
その場合、図５の電極の平坦部６に巻線の端末７を接続する際に、図７に電極底面部における短絡接続が生じた場合を模式図で示すように、隣接する電極平坦部６ａ、６ｂにそれぞれ巻線の端末７ａ、７ｂを接続する際、巻線の端末７ａが平坦部６ｂと接触し、Ｘ点において短絡するおそれが生じる。なお、図７において巻芯部３はその一部だけが示されている。
【０００５】
そこで、特許文献１にはフランジ部（図５の磁脚に相当）の内側面、すなわち、巻芯部の両端側に配設された２つのフランジ部の、複数の電極を構成する各電極に挟まれた領域に、巻芯部の軸方向に突出する凸部を設けることにより、電極間の行程距離を大きくするとともに、電極間を仕切って、ワイヤが本来接続すべき電極と隣り合う電極に接触して短絡することを防止する技術が開示されている。
【０００６】
【特許文献１】特開２００２−３３２２８号公報
【発明の開示】
【発明が解決しようとする課題】
【０００７】
従来品では、図５に示すように電極の平坦部６に巻線の端末７を接続した結果、図６に基板への実装状態を模式図で示すように実装基板９に対し、接続面となる電極４の平坦部６（図５参照）に平坦度が十分になく、ガタが生じるという問題がある。なお、図６において磁脚２はその一部だけが示されている。
【０００８】
また、特許文献１で開示された例でも、２つの電極に挟まれた領域に、巻芯部の軸方向に突出する凸部を設けることにより短絡の防止が図られているが、ガタについては問題がある。
【０００９】
この状況にあって、本発明の課題は、電極の実装面となる平坦部の平坦性がよく、巻線端末による隣接電極との短絡が起きにくいチップ型コモンモードチョークコイル及びその製造方法を提供することにある。
【課題を解決するための手段】
【００１０】
本発明のチップ型コモンモードチョークコイルは、巻芯部を有すると共に前記巻芯部の両端部に設けられ実装基板面に向かって突出し且つ前記実装基板面と略平行な平坦面が形成された複数の磁脚を有する磁芯と、前記平坦面及びこの近傍の表面に設けられた電極と、前記巻芯部に施された巻線とを備えるチップ型コモンモードチョークコイルであって、前記巻線の端末が前記平坦面以外の電極の面に電気的に接続されたことを特徴とする。
【００１１】
また、本発明のチップ型コモンモードチョークコイルは、巻芯部を有すると共に前記巻芯部の両端部に設けられ実装基板面に向かって突出し且つ前記実装基板面と略平行な平坦面が形成された複数の磁脚を有する磁芯と、前記平坦面及びこの近傍の表面に設けられ且つ溝を有する電極と、前記巻芯部に施された巻線とを備えるチップ型コモンモードチョークコイルであって、前記巻線の端末が前記電極の溝に嵌合した状態で電気的に接続されたことを特徴とする。
【００１２】
本発明のチップ型コモンモードチョークコイルの製造方法は、巻芯部を有すると共に前記巻芯部の両端部に設けられ実装基板面に向かって突出し且つ前記実装基板面と略平行な平坦面が形成された複数の磁脚を有する磁芯と、前記平坦面とこの近傍の表面に設けられた電極と、前記巻芯部に施された巻線とを備えるチップ型コモンモードチョークコイルの製造方法であって、前記巻線の端末を前記平坦面以外の電極の面に熱圧着を用いて接続する工程を含むことを特徴とする。
【００１３】
また、本発明のチップ型コモンモードチョークコイルの製造方法は、巻芯部を有すると共に前記巻芯部の両端部に設けられ実装基板面に向かって突出し且つ前記実装基板面と略平行な平坦面が形成された複数の磁脚を有する磁芯と、前記平坦面とこの近傍の表面に設けられた電極と、前記巻芯部に施された巻線とを備えるチップ型コモンモードチョークコイルの製造方法であって、前記電極が設けられる磁脚の表面部分に、金型による同時成型又は金型による成型の後の切削により、溝を設ける工程と、前記溝の内面の電極に熱圧着又は半田付けの少なくともいずれかにより前記巻線の端末を接続する工程とを含むことを特徴とする。
【００１４】
簡略には、本発明は、前記課題を解決するために、（１）電極の実装面となる平坦部以外の電極面に巻線の端末を接続する、（２）電極に巻線の端末が嵌合する程度の溝を設け、この溝に巻線の端末を接続する、（３）接続の際には熱圧着などの方法にて接続する、（４）接続する際には熱圧着などの方法に加え、高温半田などで溝を埋め補強する。
【発明の効果】
【００１５】
本発明のチップ型コモンモードチョークコイル及びその製造方法では、電極に対する巻線端末の接続位置を実装面となる平坦部以外に変えることにより、あるいは溝を有する電極を用いて、溝に巻線の端末を嵌合して電気接続することにより、実装基板に対する端子平坦度を保ち、また隣接する電極に対し巻線の端末ワイヤの短絡を防止することが可能となる。
【発明を実施するための最良の形態】
【００１６】
図１に、本発明の第１の実施の形態によるチップ型コモンモードチョークコイルを斜視図で示す。磁芯の形状、巻線の巻回しの形態は図５の従来例と同様である。図１に示すように巻線の端末７を電極の平坦部６以外の外周部に配置し、熱圧着などにより接続する。そして、本実施の形態のチップ型コモンモードチョークコイルが得られる。
【００１７】
このチップ型コモンモードチョークコイルにおいては、電極の平坦部において巻線の端末を接続していないため従来に比べ端子平坦度が保たれる。また、図１に示すように電極外周部に、すなわち隣接電極とは逆側の面に巻線の端末を接続することにより、隣接する電極にワイヤが接触することが避けられるので短絡を起こす可能性が低いチップ型コモンモードチョークコイルが得られる。
【００１８】
その製造方法に関しては、磁芯の形状を変える必要がないため従来の磁芯に適用でき、また巻線の端末接続位置を変えるのみなので製造設備を大幅に変えることなく変更できるため製造コストの増加を抑えることが出来る。
【００１９】
次に、図２に、本発明の第２の実施の形態によるチップ型コモンモードチョークコイルを斜視図で示す。同図に示すように、電極の平坦部６以外に溝８が設けられ、巻線の端末７を溝８に配置し、熱圧着や高温半田による半田付けによる方法で接続することにより本実施の形態のチップ型コモンモードチョークコイルが形成される。なお、熱圧着の後で高温半田で溝を埋めて補強してもよい。
【００２０】
また、図２では、溝８の断面形状は三角状になっているが、これに限らない。断面形状は円形状、楕円状等、発明の範囲内で変更可能とする。この溝に関する製造方法は従来形状の磁芯に切削により溝を設けるか、あるいは金型成型時に溝を設けるかのいずれかによる。そのとき、溝は巻線の端末が嵌合するのに十分な深さとする。
【００２１】
本実施の形態のチップ型コモンモードチョークコイルの特長は第１の実施の形態の特長と同様である。すなわち、本実施の形態のチップ型コモンモードチョークコイルにおいては、電極の平坦部において巻線の端末を接続していないため従来に比べ端子平坦度が保たれる。また、図２のように電極外周部に溝を形成して巻線の端末を接続することにより、隣接する電極にワイヤが接触することが避けられるので短絡を起こす可能性が低いチップ型コモンモードチョークコイルが得られる。
【００２２】
次いで、図３に、電極の平坦部に溝を有する、第３の実施の形態のチップ型コモンモードチョークコイルを斜視図で示す。溝は図３のように電極の平坦部に磁芯１の中心軸と略平行に直線状に配置する。
【００２３】
本実施の形態のチップ型コモンモードチョークコイルの製造方法では、電極の平坦部６に溝８を形成し、巻線の端末７を溝８に配置し、熱圧着や高温半田による半田付けによる方法で接続することにより、チップ型コモンモードチョークコイルが形成される。このとき、溝の断面形状に関しては第２の実施の形態と同様に、三角状に限らず、円形状、楕円状等が可能である。
【００２４】
溝の製造方法についても、第２の実施の形態と同様であり、従来形状の磁芯に切削により溝を設けるか、あるいは金型成型時に溝を設けるかによる。また溝は巻線の端末が嵌合するのに十分な深さとする。
【００２５】
本実施の形態のチップ型コモンモードチョークコイルにおいては、電極の平坦部に巻線の端末が嵌合する溝を有しているため、端子平坦度を保つことが出来る。また溝を有することにより接続に要する行程間距離が一定に保たれるので隣接する電極にワイヤが接触することが避けられ、短絡を起こす可能性が低いチップ型コモンモードチョークコイルが得られる。
【００２６】
引き続き、図４に電極の平坦部に対し対角線状に溝を有する、第４の実施の形態のチップ型コモンモードチョークコイルを斜視図で示す。溝は図４のように電極の平坦部に対し略対角線状に配置する。
【００２７】
このチップ型コモンモードチョークコイルの製造方法は、第３の実施の形態と同様である。すなわち、電極の平坦部６には溝８が設けられ、巻線の端末７を溝８に配置し、熱圧着や高温半田による半田付けによる方法で接続することによりチップ型コモンモードチョークコイルが形成される。また、溝の断面形状に関しても、第３の実施の形態と同様である。図４においては、断面形状は三角状になっているが、これに限らず、円形状、楕円状等が可能である。
【００２８】
この溝に関する製造方法も、第３の実施の形態と同様であり、従来形状の磁芯に切削により溝を設けるか、あるいは金型成型時に溝を設けるかによる。また溝は巻線の端末が嵌合するのに十分な深さとする。
【００２９】
本実施の形態のチップ型コモンモードチョークコイルにおいては、図４のように、電極の平坦部に対角線状の溝８を有しているため、巻線の端末７を溝８に嵌合させる際に、屈曲させる角度が鈍角になるので電極の稜との接触による損傷を大幅に減少させることが出来る。かつ第３の実施の形態の特長を有するチップ型コモンモードチョークコイルが得られる。すなわち、電極の平坦部に巻線の端末が嵌合する溝を有しているため、端子平坦度を保つことが出来る。また溝を有することにより接続に要する行程間距離が一定に保たれるので隣接する電極にワイヤが接触することが避けられ、短絡を起こす可能性が低いチップ型コモンモードチョークコイルが得られる。
【００３０】
以上に説明した本発明の実施の形態においては、２回路４端子チップ型コモンモードチョークコイルであったが、本発明は、回路・端子数に制限されることなく、３回路６端子以上にも適用するものとする。
【００３１】
また本発明は、チップ型コモンモードチョークコイルのみに限らず、面実装型電子部品におけるその巻線の端末接続構造において適用出来るものとする。
【図面の簡単な説明】
【００３２】
【図１】本発明の第１の実施の形態におけるチップ型コモンモードチョークコイルの斜視図。
【図２】本発明の第２の実施の形態におけるチップ型コモンモードチョークコイルの斜視図。
【図３】本発明の第３の実施の形態におけるチップ型コモンモードチョークコイルの斜視図。
【図４】本発明の第４の実施の形態におけるチップ型コモンモードチョークコイルの斜視図。
【図５】従来のチップ型コモンモードチョークコイルの斜視図。
【図６】従来のチップ型コモンモードチョークコイルの実装基板における実装状態を示す模式図。
【図７】従来のチップ型コモンモードチョークコイルの電極底面部における短絡接続が生じた場合の模式図。
【符号の説明】
【００３３】
１    磁芯
２    磁脚
３    巻芯部
４    電極
５    巻線
６    平坦部  
６ａ，６ｂ    電極平坦部
７，７ａ，７ｂ    巻線の端末
８    溝
９    実装基板
【図１】
2005142341.tif 000003
【図２】
2005142341.tif 000004
【図３】
2005142341.tif 000005
【図４】
2005142341.tif 000006
【図５】
2005142341.tif 000007
【図６】
2005142341.tif 000008
【図７】
2005142341.tif 000009